(57)【要約】      （修正有）【課題】異常な発話音声を検知して、異常な状態になる利用者の異常行動の惹起を有効に抑制することができる異常行動抑制装置を提供する。【解決手段】異常行動抑制装置において、（ａ）利用者が携帯する発話音声を記録するマイクロフォン１と、（ｂ）このマイクロフォン１に接続される、（ｉ）前記利用者が携帯する発話音声に基づいた利用者の異常状態を検知する装置４と、（ii） 前記利用者の異常状態を抑制する音声情報を記憶した音声記録媒体５とを具備する制御装置２と、（ｃ）前記利用者が携帯し、前記利用者の異常状態の検知と同時に、前記音声記録媒体５に記憶されている音声を発するスピーカー７とを具備する。【選択図】図２
2007267966.tif 000002
【特許請求の範囲】
【請求項１】
（ａ）利用者が携帯する発話音声を記録するマイクロフォンと、
（ｂ）該マイクロフォンに接続される、
（ｉ）前記利用者が携帯する発話音声に基づいた利用者の異常状態を検知する装置と、
（ii) 前記利用者の異常状態を抑制する音声情報を記憶した音声記録媒体とを具備する制御装置と、
（ｃ）前記利用者が携帯し、利用者の異常状態の検知と同時に、前記音声記録媒体に記憶されている音声を発するスピーカーとを具備することを特徴とする異常行動抑制装置。
【請求項２】
請求項１記載の異常行動抑制装置において、前記音声記録媒体に記録される音声情報は、診断者が、ロールプレイング・ゲームやシミュレーション等により、様々な環境を想定して、様々なセリフやキーワードの候補を選択して、それぞれの利用者に対する脳活性度指数の変化の応答を評価しながら、目的に対する効果を期待できるものを探し出すことを特徴とする異常行動抑制装置。
【請求項３】
請求項１記載の異常行動抑制装置において、前記音声記録媒体に記録される音声情報が利用者の過去の衝撃的な記憶発話であることを特徴とする異常行動抑制装置。
【請求項４】
請求項１記載の異常行動抑制装置において、前記検知装置は極度な緊張状態や興奮状態に陥っていることを示す脳活性度指数の変化の応答を評価して検知することを特徴とする異常行動抑制装置。
【発明の詳細な説明】
【技術分野】
【０００１】
本発明は、犯罪者等の異常行動抑制装置に関するものである。
【背景技術】
【０００２】
従来、犯罪者を更正させようとする場合、刑務所等の施設では、犯罪を反省するための場を集団で設けて、各人が反省を述べ合うようなことをしている。
【０００３】
これだけでは不十分と考えられる場合には、例えば、欧米では、精神機能に効果のある薬物を定期的に投与する等の治療が並行して行われることになる。
【０００４】
さて、犯罪者が再び罪を犯す場合、様々な場合があると思われるが、特に、感情的になってしまい理性では抑制が利かなくなることでそのような再犯につながる状況も多くあると考えられる。いわゆる、「切れる」という状況である。
【０００５】
彼らが再び犯罪を犯したり或いは切れたりすることに何らの抵抗を些かも感じていない場合もあるかもしれないが、後悔したり、泣いて謝ったりする例も珍しくはない状況を考えれば、犯罪者が、心底反省している場合も多くあることは確かである。
【０００６】
切れるのを抑え、暴力等の犯罪の再発を防ぐためには、犯罪者に、強く反省や後悔の心情を記憶させ、その記憶を様々に再認識させることが極めて効果的であることは明らかなことであり、その結果、先に述べた刑務所等の施設での集団セラピーのような機会を多く設けることが推奨されているのが現状である。
【０００７】
なお、運転士の発話音声により業務の集中力を判断する覚醒度評価法が本願発明者によって既に提案されている（下記非特許文献１参照）。
【非特許文献１】佐藤清、「発話音声を用いた覚醒度評価法」、ＲＲＲ，２００５，１０，ｐｐ．１４−１７
【発明の開示】
【発明が解決しようとする課題】
【０００８】
しかしながら、切れたり、或いは暴力的な犯罪を犯した人間に対して、反省や後悔の記憶を強く効率的に定着させることは困難であり、また必要に応じてその記憶を甦らせる手段が存在していないという問題があった。
【０００９】
本発明は、上記状況に鑑みて、利用者が異常行動に陥る前に発話音声の異常を検知して、利用者の異常行動を有効に抑制することができる異常行動抑制装置を提供することを目的とする。
【課題を解決するための手段】
【００１０】
本発明は、上記目的を達成するために、
〔１〕異常行動抑制装置において、（ａ）利用者が携帯する発話音声を記録するマイクロフォンと、（ｂ）このマイクロフォンに接続される、（ｉ）前記利用者が携帯する発話音声に基づいた利用者の異常状態を検知する装置と、（ii) 前記利用者の異常状態を抑制する音声情報を記憶した音声記録媒体とを具備する制御装置と、（ｃ）前記利用者が携帯し、前記利用者の異常状態の検知と同時に、前記音声記録媒体に記憶されている音声を発するスピーカーとを具備することを特徴とする。
【００１１】
〔２〕上記〔１〕記載の異常行動抑制装置において、前記音声記録媒体に記録される音声情報は、診断者が、ロールプレイング・ゲームやシミュレーション等により、様々な環境を想定して、様々なセリフやキーワードの候補を選択して、それぞれの利用者に対する脳活性度指数の変化の応答を評価しながら、目的に対する効果を期待できるものを探し出すことを特徴とする。
【００１２】
〔３〕上記〔１〕記載の異常行動抑制装置において、前記音声記録媒体に記録される音声情報が利用者の過去の衝撃的な記憶発話であることを特徴とする。
【００１３】
〔４〕上記〔１〕記載の異常行動抑制装置において、前記検知装置は極度な緊張状態や興奮状態に陥っていることを示す脳活性度指数の変化の応答を評価して検知することを特徴とする。
【発明の効果】
【００１４】
本発明によれば、利用者が異常行動に陥る前にそれを有効に抑制することができる。
【発明を実施するための最良の形態】
【００１５】
本発明の異常行動抑制装置は、（ａ）利用者が携帯する発話音声を記録するマイクロフォンと、（ｂ）このマイクロフォンに接続される、（ｉ）前記利用者が携帯する発話音声に基づいた利用者の異常状態を検知する装置と、（ii) 前記利用者の異常状態を抑制する音声情報を記憶した音声記録媒体とを具備する制御装置と、（ｃ）前記利用者が携帯し、前記利用者の異常状態の検知と同時に、前記音声記録媒体に記憶されている音声を発するスピーカーとを具備する。
【実施例】
【００１６】
以下、本発明の実施の形態について詳細に説明する。
【００１７】
図１は本発明の実施例を示す異常行動抑制装置の模式図であり、図１（ａ）はその外観を示す図、図１（ｂ）はその制御装置の側面図、図１（ｃ）は異常行動抑制装置を利用者が装着した状態を示す模式図である。
【００１８】
これらの図において、１は利用者が携帯するマイクロフォン、１Ａはマイクロフォン１を利用者の口の近くに取り付けるクリップ、２は利用者が携帯する制御装置であり、この制御装置２は、入力インタフェース３と、発話音声に基づいた利用者の異常状態を検知する装置４と、利用者の異常状態を抑制する情報を記憶した音声記録媒体５と、出力インタフェース６とを有している。また、出力インタフェース６には利用者が携帯するスピーカー７が接続されている。また、制御装置２はその裏面にクリップ用板バネ２Ａが設けられ、利用者が携帯しやすいようになっている。
【００１９】
そこで、マイクロフォン２からの発話音声の異常を発話音声に基づいた利用者の異常状態を検知する装置４で検知し、異常がある場合、音声記録媒体５に記録された音声スピーカから流し、利用者の異常行動を抑制する。
【００２０】
なお、異常行動を抑制するための音声情報をここでは、ｅ−ドラッグと呼ぶことにする。
【００２１】
次いで、異常行動を抑制するための音声情報（ｅ−ドラッグ）の作成方法について説明する。
【００２２】
図３は本発明の実施例を示す異常行動を抑制するための音声情報（ｅ−ドラッグ）の作成フローチャートである。
【００２３】
まず、過去の記憶に残る音声情報の検索を行う（ステップＳ１）。次に、利用者の異常状態を抑制するための音声情報であるｅ−ドラッグとなり得る音声情報があるか否かをチェック（ステップＳ２）し、次に、ｅ−ドラッグとなり得る音声情報を抽出する（ステップＳ３）。次に、脳活性度指数の変化を考慮してｅ−ドラッグの選定を行う（ステップＳ４）。次に、ｅ−ドラッグ（利用者から何らかの記憶や反応を引き出し、異常行動を抑制させる音声情報）の決定を行う（ステップＳ５）。
【００２４】
具体的には、利用者に、毎日の反省等を、日記の朗読のような形式で蓄積させ、その中から目的に対する効果の期待できる心情告白を識別し、更に、これを単純なシンボルやシンボリックな音声情報と結びつけ、これをｅ−ドラッグとし、リアルタイムな心身状態診断による結果に対して提示し、これにより、目的とする記憶を甦らせ、セルフ・フィードバック効果を得ようとするものである。
【００２５】
人間は、様々に記念品等を集める習性があるため、記憶に残る記念となる自らの言葉、即ち、記念碑的な認識を収集し、それを再認識させることにより、不穏当な感情を抑えたり、或いは否定的な感情を克服させる効果が得られると期待される。
【００２６】
上記は、基本的にはモノローグを想定しているが、対話であっても、似たようなシステムデザインは可能である。
【００２７】
本発明によれば、応用として、例えば交通機関等の乗務員の、通常状態から危機状態（異常状態）への移行を検知して復帰を促進させることができる。
【００２８】
これまでの実験結果から、発話音声を適正に分析すれば、その発話者の大脳活性度（或いは覚醒度と言うべきか）は評価可能である。
【００２９】
即ち、本発明は、発話音声の分析等により心身状態に何らかの診断が下され、その診断が利用者の行動を抑制する処置を求めるものであった場合、その診断を受けた者に対して、（恰も注射で薬物を投与するように、また注射で薬物を投与することと同様な効果のある治療を施すように）その適用対象者に対して予め何らかの意味付けがされた言葉やメロディーを聞かせることにより、条件反射的な抑制反応を引き出そうとすることを目的とした利用者の抑制システムである。
【００３０】
（１）仮に、利用者が何らかの記憶音声（例えば、実母から叱咤された「名指しの音声」、雷に打たれた時の「ピカドン」、ベートベンの「第九」など）に特定の記憶が甦るなどの反応を示す場合、その記憶音声を聞くことにより自己を抑制できるとすれば、その利用者が極度な緊張状態や興奮状態に陥っている（その結果として危機的な状況にある）ことが何らかの手段により機械的に検出されたとき、その検出装置の出力を入力として、その利用者の記憶音声を自動的に再生し利用者に聞かせることが可能であれば、その利用者は危機的な状況を冷静に脱出脱却することができる。
【００３１】
（２）従来の「心身診断システム」等によって生成可能な診断情報を与えたり、その診断情報の理解や解釈による効果を期待したりするものではなく、装置やシステムの利用者に、よりその無意識に近いレベルでの「反応」を実現することを特徴とするものである。
【００３２】
（３）例えば、利用者として鉄道車両の運転者を想定し、パニック状態からの脱却を目的とする予防安全装置として本発明の装置を用いる。
【００３３】
なお、利用者に対する記憶音声の設定は、本件によるシステムを利用して、通常の業務教育の一環として行うことが可能である。
【００３４】
（４）本発明においては、個々人に対する記憶音声を発見することが最重要項目であり、その記憶音声探索のためのデータベースを個々人により構築した結果として実現が可能である。
【００３５】
すなわち、これは個々人が日々、業務日誌を口頭で記述していくこと等の作業を継続することにより、個人的な「感情や感覚（非言語的な情動）」のデータベースを構築することを、職務に対する基本的な義務として課すことにより実現可能になると考えられる。
【００３６】
（５）また、カウンセラーのような診断者との対話により、探索することができる。
【００３７】
診断者は、ロールプレイング・ゲームやシミュレーション等々により、様々な環境を想定して、様々なセリフやキーワードの候補を適用して、それぞれの候補に対する脳活性度指数の変化等の応答を評価しながら、目的に対する効果が期待できる記憶音声を探すことになる。
【００３８】
（６）パニックに陥った利用者が異常行動を引き起こす前に、パニックから異常行動までの限られた時間の間に、その人間を「リセット」するための手段としての「ｅ−ドラッグ」は、強力な鎮静剤としての効果を有するものである。
【００３９】
なお、本発明は上記実施例に限定されるものではなく、本発明の趣旨に基づき種々の変形が可能であり、これらを本発明の範囲から排除するものではない。
【産業上の利用可能性】
【００４０】
本発明の異常行動抑制装置は、利用者が異常行動に陥る前にそれを抑制し正常な行動をとらせるようにすることができるｅ−ドラッグとして利用可能である。
【図面の簡単な説明】
【００４１】
【図１】本発明の実施例を示す異常行動抑制装置の模式図である。
【図２】本発明の実施例を示す異常行動抑制装置のブロック図である。
【図３】本発明の実施例を示す音声記録媒体（ｅ−ドラッグ）の作成フローチャートである。
【符号の説明】
【００４２】
１    利用者が携帯するマイクロフォン
１Ａ    クリップ
２    利用者が携帯する制御装置
２Ａ    クリップ用板バネ
３    入力インタフェース
４    発話音声に基づいた利用者の異常状態を検知する装置
５    利用者の異常状態を抑制する情報を記憶した音声記録媒体
６    出力インタフェース
７    スピーカー
【図１】
2007267966.tif 000003
【図２】
2007267966.tif 000004
【図３】
2007267966.tif 000005